(57)【要約】【課題】絞り羽根を付勢することにより、絞り羽根と駆動リングの間のガタを取り除くことができ、絞り口径の精度を向上させることができる絞り装置を提供する。  【解決手段】地板に回転可能に配置された駆動リングにより協働して同じ方向に作動させられる複数の絞り羽根には、各々、一方の腕部を地板に掛けて他方の腕部を絞り羽根の外周に掛けることにより、各絞り羽根を一方向に常に付勢することができる。これにより絞り羽根と駆動リングとの間のガタを無くすことができるので、絞り口径の精度を向上させることが出来る。【選択図】図１
2015222392.tif 000002
【特許請求の範囲】
【請求項１】
円形の開口部を有している地板と、
前記開口部の周りに回転可能な駆動リングと、
各々が前記地板に回転可能に取り付けられいると共に前記駆動リングと連結されて各々が協働して絞り開口を形成する複数枚の絞り羽根と、
前記各絞り羽根の外周部を付勢する付勢部材と、を備えていることを特徴とする絞り装置。
【請求項２】
前記駆動リング又は前記絞り羽根が、絞り羽根を作動させるカム溝を設けており、該カム溝のカム面が前記付勢部材の付勢方向に対して平行とならないようにしたことを特徴とする請求項１に記載の絞り装置。
【請求項３】
前記付勢部材が、地板に取り付けられたねじりコイルばねであり、該ねじりコイルばねの一方の腕部を地板に掛け止めし他方の腕部を前記絞り羽根に掛け止めしていることを特徴とする請求項１または２のいずれかに記載の絞り装置。
【請求項４】
請求項１乃至３のいずれかに記載の絞り装置を備えていることを特徴とするカメラ。
【発明の詳細な説明】
【技術分野】
【０００１】
本発明は、複数枚の絞り羽根が、駆動リングによって同時に同じ方向へ往復回転させられ、協働して形成する絞り開口の大きさを変化させるようにした絞り装置、及びそれを備えたカメラに関する。
【背景技術】
【０００２】
従来、このような分野の技術として、例えば以下の特許文献１がある。この特許文献１に記載された絞り装置は、ステッピングモータ２の出力を出力軸３に設けられた出力歯車４から板ばね１０により一方向に付勢されたアイドラギア８を介して風車５に伝達し、風車５と連動する複数の絞り羽根６を相対移動させて任意の絞り開口径を設定する。これにより各歯車間における歯車の噛み合わせによるメカ的なガタ（所謂、バックラッシ）を無くし、絞り口径の高精度化を達成している。
【先行技術文献】
【特許文献】
【０００３】
【特許文献１】特開２００３−１２１９０１号公報
【発明の概要】
【発明が解決しようとする課題】
【０００４】
しかしながら、特許文献１に記載の絞り装置は、組立て精度によっては、最大絞り口径位置や最小絞り口径位置で絞り風車がストッパに先に当接してしまうと出力歯車から風車までのガタを無くすことはできるが、風車ミゾカムと絞り羽根の羽根カムフォロアピンとのガタまでを無くすことができない虞がある。
【０００５】
本発明は、上記事情に対処することを課題の一例とするものである。すなわち絞り口径の精度に直接影響する絞り羽根と駆動リングとのガタを無くして絞り口径の精度を向上させることができる絞り装置、及びそれを備えたカメラを提供することを目的とする。
【課題を解決するための手段】
【０００６】
上記の目的を達成するために、本発明による絞り装置は、円形の開口部を有している地板と、開口部の周りに回転可能な駆動リングと、各々が地板に回転可能に取り付けられていると共に駆動リングと連結されて各々が協働して絞り開口を形成する複数枚の絞り羽根と、各絞り羽根の外周部を付勢する付勢部材とを備えているようにした、ことを特徴とする。
【０００７】
また、本発明の絞り装置は、駆動リング又は絞り羽根が、絞り羽根を作動するカム溝を設けており、カム溝のカム面が付勢部材による付勢方向に対して平行とならないようにしていることが好ましい。
【０００８】
また、本発明の絞り装置は、付勢部材が、地板に取り付けられたねじりコイルばねであり、ねじりコイルばねの一方の腕部を地板に掛け止めし他方の腕部を前記絞り羽根に掛け止めしているようにすることが好ましい。
【０００９】
更に、本発明のカメラは、上記本発明の絞り装置を備えている、ことを特徴とする。
【発明の効果】
【００１０】
絞り羽根の外周を絞り口径の略径方向に付勢することにより、絞り羽根と駆動リングとのガタを確実に無くすことができる、これにより簡単な構造で絞り口径の精度を向上させることができる。
【図面の簡単な説明】
【００１１】
【図１】最大の絞り開口の制御状態を示した実施例の平面図。
【図２】図１の要部平面図。
【図３】図１の要部断面図。
【図４】最小の絞り開口の制御状態を示した実施例の平面図。
【発明を実施するための形態】
【００１２】
本発明の実施の形態を図示した実施例によって説明する。本発明の絞り装置は、単体の絞り装置として構成することも、シャッタ装置と共にユニット化した絞り装置として構成することも可能であるが、実施例は、単体の絞り装置として構成したものである。
【００１３】
先ず本実施例の構成を図１から図４を用いて説明する。地板１は、図面の紙面表面側に配置された周知のカバー板との間に羽根室を構成している。カバー板は、適宜な手段により地板１の表面側に取り付けられており、地板１とは略同じ形状をしているが、各図においては、羽根室内の構成を分かり易くするために図示を省略している。また地板１は、その中央部に光軸を中心にした円形の開口部１ａを形成しており、羽根室側の面には、開口部１ａの周りに略等角度間隔位置に七つの羽根取付軸１ｂが立設されているが、図１、図４においては、それらの一つだけに符号を付けてある。さらに、地板１には後述するばね６の一方の腕部の外れ防止のための突部１ｃ、及び駆動リング４の最大絞り開口位置のストッパ１ｄと最小絞り開口位置のストッパ１ｅが立設されている。
【００１４】
また、地板１の羽根室側には駆動リング４が配置されていて、光軸を中心にした開口部１ａの周りを地板１に設けられたストッパ１ｄとストッパ１ｅの間で往復回転させられるようになっている。この駆動リング４は、外周の一部に歯部４ａを設けていて、後述する親子歯車３と歯合するようになっている。さらに、駆動リング４は、光軸を中心にした開口部１ａの周りに略等角度間隔となる連結軸４ｂを立設しているが、図１、図４においては、それらの一つにだけ符号を付けてある。
【００１５】
また駆動リングよりも図面の紙面表面側には７枚の絞り羽根５が配置されているが、それらは全て同じ形状をしているため、図１、図４においては、それらのうちの１枚だけに符号を付けてある。そして、それら絞り羽根５は、地板１の取付軸１ｂに回転可能に各々取り付けるための取付孔５ａを有し、さらに駆動リング４に立設された連結軸４ｂに各々挿入される長孔形状をした七つのカム溝５ｂを形成している。
【００１６】
このような駆動リング４が、ストッパ１ｄと１ｅ間の回転角度範囲内において、ステップモータ２によりて往復回転されるようになっている。その構成は周知であるため、その詳細な説明は省略する。ステップモータ２は、地板１の羽根室外に配置されていて羽根室側に貫通させた出力軸に出力歯車２ａを取り付けている。そして出力歯車２ａは、地板１に配置された二つの親子歯車（二段歯車）３に歯合し、その子歯車は駆動リング４の歯部４ａに歯合している。
【００１７】
地板１の取付軸１ｂには、絞り羽根５の地板１側に付勢部材としてのねじりコイルばね６が巻回されている。ねじりコイルばね６は、その一方の腕部を地板１に掛けて地板１に形成された突起部１ｃにより外れないようにされ、他方の腕部を絞り羽根５の外周縁に掛けており、絞り羽根４を最大絞り開口側に向けて押圧付勢している。それにより絞り羽根５のカム溝５ａのカム面が駆動リング４の連結軸４ｂに向けて常に押圧されるが、図１、図４においては、それらの一つだけを示している。そして、カム溝５ｂが連結ピン４ａにカム作用をおよぼす領域のカム面は、常にねじりコイルばね６の付勢方向Ｆと平行にならないようになっている。
【００１８】
次に、本実施例の作動を説明する。図１は、７枚の絞り羽根５が開口部１ａよりも大きく開いて開口部１ａを全開にしている状態、即ち最大絞り開口の制御状態を示したものである。この時、各絞り羽根５は、各ねじりコイルばね６により最大絞り開口方向に常に付勢されているので絞り羽根５と連結ピン４ｂの間のガタが無くなり、この状態が好適に維持される。そして、被写体光が、所定の明るさよりも暗い場合には、このまま撮影が行われるが、被写体光が、所定の明るさよりも明るい場合には、ステップモータ２の出力歯車２ａが反時計方向へ回転させられる。それによって、駆動リング４が、親子歯車３を介して時計方向へ回転させられるので、ねじりコイルばね６に付勢された７枚の絞り羽根５は、ねじりコイルばね６の付勢力に抗してカム溝５ｂを駆動リング４の連結軸４ｂに押され、同時に反時計方向へ回転させられて開口部１ａ内に進入し、各絞り羽根４の協働によって絞り開口を小さくしていく。
【００１９】
この時、各絞り羽根５は、各ねじりコイルばね６で最大絞り開口方向に付勢されているのでカム溝５ｂの周面と駆動リング４の連結軸４ｂとのガタが無くなるり常に安定した絞り開口径を得ることができる。そして、所定の絞り開口が得られたところでステップモータ２が停止し、撮影が行われることになる。図４は、そのようにして、７枚の絞り羽根５が最小絞り開口位置に達している状態を示したものである。尚、本実施例は、図１が撮影開始前の状態であることにして説明したが、図４に示された状態を撮影開始前の状態にしても差し支えない。
【００２０】
このように、本実施例の場合には、絞り羽根４が常に最大絞り開口方向に付勢されているので、絞り羽根５と駆動リング４との間のガタが無くなり、任意の絞り口径が適正に得られるようになっている。
【００２１】
本実施例においては、地板１に取付軸１ｂを立設して絞り羽根５の取付孔５ａを取り付けるようにしたが、絞り羽根５に地板１との取付軸を設けるようにしても差し支えない。また、駆動リング４に絞り羽根５と連結する連結ピン４ｂを設けたが、絞り羽根５に連結ピンを形成するようにしても差し支えない。また、ねじりコイルばね６は、絞り羽根５を最大絞り口径方向に付勢させるようにしたが、絞り羽根５の最小絞り口径方向に付勢させるようにしても差し支えない。
【産業上の利用可能性】
【００２２】
以上述べたように、本発明の絞り装置は、絞り口径の精度向上を達成できるため、一眼カメラ、ミラーレスカメラ等の光学機器に適用できる。
【符号の説明】
【００２３】
１            地板
１ａ          開口部
１ｂ          取付軸
１ｄ，１ｆ    ストッパ
２            ステップモータ
４            駆動リング
４ａ          歯部
４ｂ          連結ピン
５            絞り羽根
５ｂ          カム溝
６            ねじりコイルばね
Ｆ            ねじりコイルばねの付勢方向
【図１】
2015222392.tif 000003
【図２】
2015222392.tif 000004
【図３】
2015222392.tif 000005
【図４】
2015222392.tif 000006